(57)【要約】【課題】  楽な姿勢で演奏することができる篠笛を提供する。【解決手段】  手穴８の２孔２、３孔３、４孔４、５孔５、６孔６、及び、７孔７を、非一直線状に配設する。手穴８の２孔２と４孔４と７孔７を真上の一直線上に配設し、さらに、手穴８の３孔３、５孔５、６孔６を、一直線から外れた位置に配設する。手穴８の３孔３、５孔５、及び、６孔６を真上より各々所定の円弧長寸法だけ外側に偏在させる。歌口９を略楕円形に形成する。歌口９を、歌口９の中心線方向から見て、歌口９の長軸が篠笛の長手方向と平行な方向に対して歌口９の中心線廻りに所定角度だけ傾いた方向となるように、配置する。【選択図】  図１
2006119511.tif 000002
【特許請求の範囲】
【請求項１】
手穴（８）の２孔（２）、３孔（３）、４孔（４）、５孔（５）、６孔（６）、及び、７孔（７）を、非一直線状に配設したことを特徴とする篠笛。
【請求項２】
手穴（８）の２孔（２）と４孔（４）と７孔（７）を真上の一直線（Ｌ）上に配設し、さらに、手穴（８）の３孔（３）、５孔（５）、６孔（６）を、上記一直線（Ｌ）から外れた位置に配設した篠笛であって、上記手穴（８）の３孔（３）、５孔（５）、及び、６孔（６）を真上より各々所定の円弧長寸法（ε3 ）、（ε5 ）、（ε6 ）だけ外側に偏在させた請求項１記載の篠笛。
【請求項３】
手穴（８）の１孔（１）を真上の一直線（Ｌ）から内側に外れた位置に配設した請求項２記載の篠笛。
【請求項４】
歌口（９）を真上より内側に配設した請求項１，２又は３記載の篠笛。
【請求項５】
歌口（９）を略楕円形に形成し、該歌口（９）を、該歌口（９）の中心線（Ｍ）方向から見て、該歌口（９）の長軸（９ａ）が篠笛の長手方向と平行な方向に対して該歌口（９）の中心線（Ｍ）廻りに所定角度（θ）だけ傾いた方向となるように、配置した請求項１，２，３又は４記載の篠笛。
【請求項６】
４番の篠笛（Ｊ）から12番の篠笛（Ｂ）を備える篠笛セットであって、
該４番の篠笛（Ｊ）から12番の篠笛（Ｂ）の各々は、手穴（８）の２孔（２）と４孔（４）と７孔（７）を真上の一直線（Ｌ）上に配設し、かつ、手穴（８）の３孔（３）、５孔（５）、６孔（６）を、上記一直線（Ｌ）から外れた位置に配設したものであって、さらに、上記手穴（８）の３孔（３）、５孔（５）、及び、６孔（６）を真上より各々所定の円弧長寸法（ε3 ）、（ε5 ）、（ε6 ）だけ外側に偏在させたものであって、
上記12番の篠笛（Ｂ）から４番の篠笛（Ｊ）にかけて上記所定の円弧長寸法（ε3 ）、（ε5 ）、（ε6 ）の各々を次第に大きく設定したことを特徴とする篠笛セット。
【請求項７】
４番の篠笛（Ｊ）から12番の篠笛（Ｂ）を備える篠笛セットであって、該４番の篠笛（Ｊ）から12番の篠笛（Ｂ）の各々に於て、歌口（９）を略楕円形に形成し、該歌口（９）を、該歌口（９）の中心線（Ｍ）方向から見て、該歌口（９）の長軸（９ａ）が篠笛の長手方向と平行な方向に対して該歌口（９）の中心線（Ｍ）廻りに所定角度（θ）だけ傾いた方向となるように、配置し、上記12番の篠笛（Ｂ）は上記所定角度（θ）を所定増加角度（Δθ）に設定し、該12番の篠笛（Ｂ）から上記４番の篠笛（Ｊ）にかけて、上記所定角度（θ）を上記所定増加角度（Δθ）ずつ単調増大させ、上記所定増加角度（Δθ）を 1.5°≦Δθ≦ 2.2°に設定した請求項６記載の篠笛セット。
【発明の詳細な説明】
【技術分野】
【０００１】
本発明は、篠笛及び篠笛セットに関する。
【背景技術】
【０００２】
一般に、篠笛の手穴は、一直線上に配設されている（例えば、特許文献１参照）。
【０００３】
しかし、指の長さや手の向きによって、演奏時に、手穴を押さえにくかったり、運指しにくくなるという欠点があった。特に４番の篠笛のような低音の篠笛で、その傾向が強く見られた。
【特許文献１】特開平８−２３４７３０号公報
【発明の開示】
【発明が解決しようとする課題】
【０００４】
解決しようとする課題は、容易に運指できない点である。すなわち、無理な姿勢で演奏する必要がある点である。また、きき手とは反対の手が演奏中に突っ張ってくる点である。また、歌口に息を吹き込みにくい点である。
【課題を解決するための手段】
【０００５】
そこで、本発明に係る篠笛は、手穴の２孔、３孔、４孔、５孔、６孔、及び、７孔を、非一直線状に配設したものである。
また、手穴の２孔と４孔と７孔を真上の一直線上に配設し、さらに、手穴の３孔、５孔、６孔を、上記一直線から外れた位置に配設した篠笛であって、上記手穴の３孔、５孔、及び、６孔を真上より各々所定の円弧長寸法だけ外側に偏在させたものである。
また、手穴の１孔を真上の一直線から内側に外れた位置に配設したものである。
また、歌口を真上より内側に配設したものである。
また、歌口を略楕円形に形成し、該歌口を、該歌口の中心線方向から見て、該歌口の長軸が篠笛の長手方向と平行な方向に対して該歌口の中心線廻りに所定角度だけ傾いた方向となるように、配置したものである。
【０００６】
また、本発明に係る篠笛セットは、４番の篠笛から12番の篠笛を備える篠笛セットであって、該４番の篠笛から12番の篠笛の各々は、手穴の２孔と４孔と７孔を真上の一直線上に配設し、かつ、手穴の３孔、５孔、６孔を、上記一直線から外れた位置に配設したものであって、さらに、上記手穴の３孔、５孔、及び、６孔を真上より各々所定の円弧長寸法だけ外側に偏在させたものであって、上記12番の篠笛から４番の篠笛にかけて上記所定の円弧長寸法の各々を次第に大きく設定したものである。
また、４番の篠笛から12番の篠笛を備える篠笛セットであって、該４番の篠笛から12番の篠笛の各々に於て、歌口を略楕円形に形成し、該歌口を、該歌口の中心線方向から見て、該歌口の長軸が篠笛の長手方向と平行な方向に対して該歌口の中心線廻りに所定角度だけ傾いた方向となるように、配置し、上記12番の篠笛は上記所定角度を所定増加角度に設定し、該12番の篠笛から上記４番の篠笛にかけて、上記所定角度を上記所定増加角度ずつ単調増大させ、上記所定増加角度Δθを 1.5°≦Δθ≦ 2.2°に設定したものである。
【発明の効果】
【０００７】
本発明の篠笛によれば、楽な姿勢で容易に運指することができ、特に、演奏中にきき手と反対の手が突っ張ってくるのを防止することができる。また、歌口に容易かつ確実に息を吹き込むことができる。また、本発明の篠笛セットによれば、それぞれの篠笛が、楽な姿勢で容易に運指することのできるものであって、特に、演奏中にきき手と反対の手が突っ張ってくるのを防止することができる。さらに、各歌口に容易かつ確実に息を吹き込むことができる。
【発明を実施するための最良の形態】
【０００８】
図１は、本発明の実施の一形態を示す。この篠笛は、右きき用の篠笛であって、竹製筒状であって、手穴８の２孔２、３孔３、４孔４、５孔５、６孔６、及び、７孔７が、非一直線状に配設されている。「非一直線状」とは、全ての手穴８が同一直線上にある場合以外をいうと定義する。
【０００９】
図２に示すように、手穴８の２孔２と４孔４と７孔７が真上の一直線Ｌ上に配設され、さらに、手穴８の３孔３、５孔５、６孔６が、一直線Ｌから外れた位置に配設されている。具体的には、手穴８の３孔３、５孔５、及び、６孔６は真上より各々所定の円弧長寸法ε3 、ε5 、ε6 だけ外側に偏在している。図３に、５孔５が円弧長寸法ε5 だけ外側（すなわち、管尻Ｚ側から見て、時計回り方向。すなわち、図３の矢印Ｐ方向。）に偏在している断面側面図を示す。一般に、円弧長寸法ε6 とε5 は、ε6 ＜ε5 に設定されている。特に、円弧長寸法ε6 とε5 を、ε6 ：ε5 ＝ 100：150 に設定するのが好ましい。円弧長寸法ε6 とε5 がε6 ≧ε5 に設定されている場合、指で５孔５や６孔６を押さえにくくなる虞れがある。「真上」とは、４孔４が外方に開口している方向をいう。「真上の一直線Ｌ」とは、４孔４を真上に向けた状態で、篠笛をその軸心Ｘに垂直に切断した断面における最上点Ｙを結ぶ直線をいうと定義する。また、本発明に於て、「内側」とは、演奏者の顔の存在する側を意味し、右きき用の篠笛では、管尻Ｚ側から見て、図３の矢印Ｓ方向を指す。（左きき用の篠笛では、矢印Ｐ方向を指す。）
【００１０】
図４に示すように、歌口９は略楕円形に形成されている。歌口９は、歌口９の中心線Ｍ方向から見て、歌口９の長軸９ａが篠笛の長手方向と平行な方向に対して歌口９の中心線Ｍ廻り方向に所定角度θだけ傾いた方向となるように、配置されている。「歌口９の中心線Ｍ」とは、篠笛の径方向の線であって、かつ、歌口９の楕円の中心ｍを通る仮想線のことをいうと定義する（図４に於て、中心線Ｍは、紙面に垂直である）。具体的には、歌口９の長軸９ａの管尻Ｚ側が内側になるように、所定角度θだけ傾けて配置されている。
【００１１】
図５は他の実施の形態を示す。この篠笛セットは、４番の篠笛Ｊから13番の篠笛Ａを備える。すなわち、Ａは13番の篠笛、Ｂは12番の篠笛、Ｃは11番の篠笛、Ｄは10番の篠笛、Ｅは９番の篠笛、Ｆは８番の篠笛、Ｇは７番の篠笛、Ｈは６番の篠笛、Ｉは５番の篠笛、Ｊは４番の篠笛を示す。４番の篠笛Ｊから12番の篠笛Ｂの各々は、上述の篠笛の構成と同一である。（13番の篠笛Ａに於ては、手穴８の２孔２から７孔７が、真上の一直線Ｌ上にある。）
【００１２】
図６・図７に示すように、12番の篠笛Ｂから４番の篠笛Ｊ（図５参照）にかけて所定の円弧長寸法ε3 、ε5 、ε6 の各々が次第に大きく設定されている。すなわち、一般に、ｎ番の篠笛（ｎ＝12，11，10，９，８，７，６，５，４）のｋ孔（ｋ＝３，５，６）が、真上より所定の円弧長寸法εn,k だけ外側に偏在しているとすると、ε(n+1),k ＜εn,k が成立する。なお、「次第に大きく」とは、一部では、ε(n+1),k ＝εn,k となる場合を含むものとする。
【００１３】
図８に示すように、12番の篠笛Ｂ（図５参照）は角度θを所定増加角度Δθに設定し、12番の篠笛Ｂから４番の篠笛Ｊにかけて、角度θが所定増加角度Δθずつ単調増大する。すなわち、ｎ番の篠笛（ｎ＝12，11，10，９，８，７，６，５，４）の歌口９が、歌口９の中心線Ｍ方向から見て、歌口９の長軸９ａが篠笛の長手方向と平行な方向に対して歌口９の中心線Ｍ廻り方向に所定角度θn だけ傾いた方向となるように、配置されているとすると、θn ＝（13−ｎ）×Δθが成立する。言い換えると、θn ＝θ(n+1) ＋Δθが成立する。
所定増加角度Δθは 1.5°≦Δθ≦ 2.2°に設定されている。所定増加角度Δθが上記範囲にない場合、歌口９に適切に息を吹き込みにくくなる虞れがある。
【００１４】
そして、別の実施の形態について説明すると、手穴８の１孔１を、真上の一直線Ｌから内側に外れた位置に配設する（図示省略）。そのようにすれば、小指の操作が容易となる。
【００１５】
次に、本発明のさらに他の実施の形態として、図示省略するが、歌口９を真上より内側に配設する。つまり、歌口９を、一直線Ｌから内側に外れた位置に配設する。それによって、（従来は身体をよじって下向きであったのを、）顔を正面に向けて肺に負担を掛けず、演奏できる。
【００１６】
なお、左きき用の篠笛については、図示省略するが、管尻Ｚ側から見て、反時計回り方向（すなわち、図３の矢印Ｓ方向。）が「外側」に該当する。
【００１７】
以上のように、本発明は、手穴８の２孔２、３孔３、４孔４、５孔５、６孔６、及び、７孔７を、非一直線状に配設したので、楽な姿勢で容易に運指することができ、特に、演奏中にきき手と反対の手が突っ張ってくるのを防止することができる。
【００１８】
また、手穴８の２孔２と４孔４と７孔７を真上の一直線Ｌ上に配設し、さらに、手穴８の３孔３、５孔５、６孔６を、一直線Ｌから外れた位置に配設した篠笛であって、手穴８の３孔３、５孔５、及び、６孔６を真上より各々所定の円弧長寸法ε3 、ε5 、ε6 だけ外側に偏在させたので、楽な姿勢で容易に運指することができ、特に、演奏中にきき手と反対の手が突っ張ってくるのを防止することができる。特に、手穴８の３孔３を外側に偏在させることにより、他の指よりも長い中指でも楽な状態で３孔３を塞いだり運指したりすることができる。また、篠笛に届きにくい、きき手と反対の手の中指と薬指も、楽な状態でそれぞれ６孔６、５孔５を塞いだり運指したりすることができる。
【００１９】
また、手穴８の１孔１を真上の一直線Ｌから内側に外れた位置に配設したので、小指の操作が容易となる。
また、歌口９を真上より内側に配設したので、（従来は身体をよじって下向きであったのを、）顔を正面に向けて肺に負担を掛けず、演奏できる。
また、歌口９を略楕円形に形成し、歌口９を、歌口９の中心線Ｍ方向から見て、歌口９の長軸９ａが篠笛の長手方向と平行な方向に対して歌口９の中心線Ｍ廻りに所定角度θだけ傾いた方向となるように、配置したので、楽な姿勢で確実に歌口９に息を吹き込むことができる。
【００２０】
また、４番の篠笛Ｊから12番の篠笛Ｂを備える篠笛セットであって、４番の篠笛Ｊから12番の篠笛Ｂの各々は、手穴８の２孔２と４孔４と７孔７を真上の一直線Ｌ上に配設し、かつ、手穴８の３孔３、５孔５、６孔６を、一直線Ｌから外れた位置に配設したものであって、さらに、手穴８の３孔３、５孔５、及び、６孔６を真上より各々所定の円弧長寸法ε3 、ε5 、ε6 だけ外側に偏在させたものであって、12番の篠笛Ｂから４番の篠笛Ｊにかけて所定の円弧長寸法ε3 、ε5 、ε6 の各々を次第に大きく設定したので、それぞれの篠笛が、楽な姿勢で容易に運指することのできるものであって、特に、演奏中にきき手と反対の手が突っ張ってくるのを防止することができる。特に、４番の篠笛Ｊや５番の篠笛Ｉのような長手方向寸法の長い篠笛であっても、上記円弧長寸法ε3 、ε5 、ε6 を大きく設定するので、楽に演奏することができる。
【００２１】
また、４番の篠笛Ｊから12番の篠笛Ｂを備える篠笛セットであって、４番の篠笛Ｊから12番の篠笛Ｂの各々に於て、歌口９を略楕円形に形成し、歌口９を、歌口９の中心線Ｍ方向から見て、歌口９の長軸９ａが篠笛の長手方向と平行な方向に対して歌口９の中心線Ｍ廻りに所定角度θだけ傾いた方向となるように、配置し、12番の篠笛Ｂは所定角度θを所定増加角度Δθに設定し、12番の篠笛Ｂから４番の篠笛Ｊにかけて、所定角度θを所定増加角度Δθずつ単調増大させ、所定増加角度Δθを 1.5°≦Δθ≦ 2.2°に設定したので、それぞれの篠笛に、楽な姿勢で確実に歌口９に息を吹き込むことができる。特に、４番の篠笛Ｊや５番の篠笛Ｉのような長手方向寸法の長い篠笛は両手をかなり前方に出して演奏することになるが、その場合も、所定角度θを大きく設定するので、楽に演奏することができる。
【図面の簡単な説明】
【００２２】
【図１】本発明の実施の一形態を示す平面図である。
【図２】要部拡大平面図である。
【図３】要部拡大断面側面図である。
【図４】要部拡大平面図である。
【図５】他の実施の形態を示す平面図である。
【図６】要部拡大平面図である。
【図７】篠笛セットの円弧長寸法についての説明図である。
【図８】篠笛セットの歌口の角度についての説明図である。
【符号の説明】
【００２３】
１  １孔
２  ２孔
３  ３孔
４  ４孔
５  ５孔
６  ６孔
７  ７孔
８  手穴
９  歌口
９ａ  長軸
Ｂ  12番の篠笛
Ｊ  ４番の篠笛
Ｌ  （真上の）一直線
Ｍ  中心線
θ  所定角度
Δθ  所定増加角度
ε3 円弧長寸法
ε5 円弧長寸法
ε6 円弧長寸法
【図１】
2006119511.tif 000003
【図２】
2006119511.tif 000004
【図３】
2006119511.tif 000005
【図４】
2006119511.tif 000006
【図５】
2006119511.tif 000007
【図６】
2006119511.tif 000008
【図７】
2006119511.tif 000009
【図８】
2006119511.tif 000010